(57)【特許請求の範囲】
【請求項１】
係止部を有する車装部品の、前記係止部に係止されると共に、車体に設けられた被取付部の取付孔に挿入されて固定され、前記車装部品を前記被取付部に取付けるための、部品取付具であって、
前記係止部を挿入可能な開口部を有すると共に、対向して配置された複数の壁部、及び、該壁部の対向方向に交差する方向に対向して配置された複数の側壁部を有する枠状をなしており、前記車装部品の前記係止部を収容し、かつ、前記取付孔に挿入される収容部と、
前記収容部に設けられ、前記取付孔の裏側周縁に係合する係合爪と、
一方の前記壁部に、スリットを介して撓み可能に形成され、前記収容部に収容された前記係止部に係止可能な係止爪を有する係止片と、
該係止片の外側面から前記収容部の外方に向けて延出され、該係止片を前記収容部の外方に撓み変形させることで、前記係止爪と前記係止部との係止状態を解除する、操作片とを有しており、
前記係止爪に前記係止部からの引き抜き力が作用したときに、前記係止片が前記収容部の内方に撓むように構成されていることを特徴とする部品取付具。
【請求項２】
係止部を有する車装部品の、前記係止部に係止されると共に、車体に設けられた被取付部の取付孔に挿入されて固定され、前記車装部品を前記被取付部に取付けるための、部品取付具であって、
前記係止部を挿入可能な開口部を有すると共に、対向して配置された複数の壁部、及び、該壁部の対向方向に交差する方向に対向して配置された複数の側壁部を有する枠状をなしており、前記車装部品の前記係止部を収容し、かつ、前記取付孔に挿入される収容部と、
前記収容部に設けられ、前記取付孔の裏側周縁に係合する係合爪と、
一方の前記壁部に、スリットを介して撓み可能に形成され、前記収容部に収容された前記係止部に係止可能な係止爪を有する係止片と、
該係止片の外側面から前記収容部の外方に向けて延出され、該係止片を前記収容部の外方に撓み変形させることで、前記係止爪と前記係止部との係止状態を解除する、操作片とを有しており、
前記係止片が形成された一方の前記壁部に対向する他方の前記壁部には、前記係止爪に前記係止部からの引き抜き力が作用して、該係止片が前記収容部の内方に撓んだ状態で、前記係止爪が係止可能な撓み規制孔が形成されていることを特徴とする部品取付具。
【請求項３】
前記スリットはコ字状をなしており、一方の前記壁部の、前記収容部の開口部側に、前記係止片の基端が連結されており、該係止片の先端側の内側面に前記係止爪が形成され、前記係止片の先端側の外側面から前記操作片が延出されている請求項１又は２記載の部品取付具。
【請求項４】
前記操作片を操作して、前記係止片が前記収容部の外方に撓んだ状態で、前記係止爪が前記スリットの内周縁部に当接可能とされている請求項１〜３のいずれか１つに記載の部品取付具。
【請求項５】
前記係止片は、その基端が一方の前記壁部に連結されており、該係止片の基端の外側面には、凹溝が形成されている請求項１〜４のいずれか１つに記載の部品取付具。
【発明の詳細な説明】
【技術分野】
【０００１】  本発明は、例えば、車両シート等の車装部品を、車体パネル等の被取付部に取付けるための、部品取付具に関する。
【背景技術】
【０００２】  例えば、車両シート等の車装部品を車体パネル等の被取付部に取付ける際には、取付具が用いられている。すなわち、車両シート下方から延設した係止部を、取付具に挿入して係止爪に係止させると共に、該取付具を車体パネルの取付孔に挿入して固定することで、取付具を介して車両シートが車体パネルに取付けられるようになっている。【０００３】  従来のこの種の取付具として、例えば、下記特許文献１には、シートクッションに設けられたＵ字状脚部を受け入れる脚受入部を有するクリップ本体と、クリップ本体にスライド可能に設けられ、脚受入部に挿入されたＵ字状脚部の内側を通って脚受入部の入口部を横切ることにより、Ｕ字状脚部の抜け出しを阻止するスライドロック部材とを有し、クリップ本体の脚受入部内側に、スライドロック部材の先端部に係止する、爪部が設けられた構造をなす、クリップが記載されている。【０００４】  また、スライドロック部材は、板ばね片部によって、爪部との係止方向に付勢されている。そして、クリップ本体の脚受入部にＵ字状脚部が挿入されて、スライドロック部材で抜け止めされて、フロアにシートクッションが取付けられた状態から、シートクッションを取外す際には、板ばね片部の付勢力に抗して、スライドロック部材をスライドさせることにより、脚受入部内側の爪部との係止が解除される。それによって、脚受入部内からＵ字状脚部を抜き出して、フロアからシートクッションを取外すことが可能となっている。
【先行技術文献】
【特許文献】
【０００５】
【特許文献１】特開２０１０−３０３４７号公報
【発明の概要】
【発明が解決しようとする課題】
【０００６】  しかしながら、上記特許文献１のクリップにおいては、シートクッションのＵ字状脚部を抜け止め保持し且つその抜け止めを解除するための構造として、クリップ本体とスライドロック部材との２部品が必要であるため、部品点数が多く製造コストが増大するという不都合があった。【０００７】  したがって、本発明の目的は、部品点数を少なくすることができると共に、被取付部から車装部品を容易に取外すことができる、部品取付具を提供することにある。
【課題を解決するための手段】
【０００８】  上記目的を達成するため、本発明は、係止部を有する車装部品の、前記係止部に係止されると共に、車体に設けられた被取付部の取付孔に挿入されて固定され、前記車装部品を前記被取付部に取付けるための、部品取付具であって、前記係止部を挿入可能な開口部を有すると共に、対向して配置された複数の壁部、及び、該壁部の対向方向に交差する方向に対向して配置された複数の側壁部を有する枠状をなしており、前記車装部品の前記係止部を収容し、かつ、前記取付孔に挿入される収容部と、前記収容部に設けられ、前記取付孔の裏側周縁に係合する係合爪と、一方の前記壁部に、スリットを介して撓み可能に形成され、前記収容部に収容された前記係止部に係止可能な係止爪を有する係止片と、該係止片の外側面から前記収容部の外方に向けて延出され、該係止片を前記収容部の外方に撓み変形させることで、前記係止爪と前記係止部との係止状態を解除する、操作片とを有していることを特徴とする。
【発明の効果】
【０００９】  本発明によれば、係止爪を有する係止片の外側面から、収容部の外方に向けて、係止片を撓み変形させる操作片が延出されており、収容部に対して係止片と操作片とが一部品で形成されているので、部品点数を少なくして構造を簡単にすることができ、製造コストの低減を図ることができる。また、被取付部の取付孔に部品取付具を介して車装部品を取付けた状態で、被取付部から車装部品を取外したい場合には、操作片を操作して係止片を収容部の外方に撓み変形させることによって、係止片の係止爪と車装部品の係止部との係止を解除することができ、被取付部から車装部品を取外すことができる。
【図面の簡単な説明】
【００１０】
【図１】本発明の部品取付具の一実施形態を示しており、同部品取付具を用いて、車装部品を被取付部に取付ける際の状態を示す、斜視図である。
【図２】同部品取付具の斜視図である。
【図３】同部品取付具の、図２とは異なる方向から見た斜視図である。
【図４】（ａ）は同部品取付具の正面図、（ｂ）は同部品取付具の側面図である。
【図５】同部品取付具を用いて、車装部品を被取付部に取付けた状態を示す断面説明図である。
【図６】同部品取付具を用いて、車装部品を被取付部に取付けた状態を示しており、図７とは異なる方向から見た断面説明図である。
【図７】（ａ）は同部品取付具から係止部を引き抜く場合の断面説明図、（ｂ）は同部品取付具の、係止爪が収容部内方に撓んだ状態の場合の断面説明図である。
【図８】本発明の部品取付具の、他の実施形態を示す斜視図である。
【図９】同部品取付具を用いて、車装部品を被取付部に取付けた状態を示す断面説明図である。
【発明を実施するための形態】
【００１１】  以下、図面を参照して、本発明の部品取付具の一実施形態について説明する。
【００１２】  図１、図５及び図６に示すように、この実施形態の部品取付具１０（以下、単に「取付具１０」という）は、車装部品１の係止部３に係止されると共に、車体に設けられた被取付部５の取付孔７に挿入されて固定されて、車装部品１を被取付部５に取付けるためのものである。この実施形態における車装部品１としては、車両のリアシートであり、その下方から、断面円形のワイヤをＵ字状に折り曲げてなるＵ字フック状の係止部３が延設されている。ただし、車装部品としては、係止部を有するものであれば、特に限定はされない。また、係止部３の形状も特に限定はない。更に、被取付部５としては、例えば、車体パネルや車体フレーム等が挙げられるが、これも特に限定はされない。なお、被取付部５に設けた取付孔７は、長孔状をなしている（図１参照）。
【００１３】  図２及び図３に示すように、この実施形態の取付具１０は、車装部品１の係止部３に適合した長尺状の開口部２１を有し、複数の壁部で囲まれて枠状をなした収容部２０を有している。この実施形態の収容部２０は、前記開口部２１の長手方向に沿って互いに対向して配置された一対の壁部２３，２３と、これらの一対の壁部２３，２３の対向方向に交差する方向に対向して配置されると共に、一対の壁部２３，２３の両端どうしを連結する、一対の側壁部２５，２５とからなる枠状をなしている。
【００１４】  また、図５に示すように、一対の壁部２３，２３の、開口部２１側の上方周縁部からは、斜め上方に向けて次第に広がるガイド壁部２７，２７がそれぞれ延設されており、前記係止部３を収容部２０内に収容しやすくなっている。
【００１５】  更に図２や図４（ｂ）に示すように、各側壁部２５の外面側であって、その幅方向両側には、収容部２０の軸方向に沿って延びる、リブ２９，２９がそれぞれ形成されている。
【００１６】  また、収容部２０を構成する一対の側壁部２５，２５には、取付孔７の裏側周縁に係合する、一対の係合爪３０，３０が設けられている。図２〜４に示すように、この実施形態における係合爪３０は、前記一対のリブ２９，２９の間において、側壁部２５の外面の先端側から基端側に向けて斜め外方に延びていると共に、その延出方向途中の外面に、取付孔７の裏側周縁に係合する係合段部３２が形成されており、更に係合爪３０の基端側には、側方から見て略Ｌ字状に屈曲した操作ノブ３４が設けられている。
【００１７】  前記操作ノブ３４は、係合爪３０の係合段部３２が取付孔７の裏側周縁に係合した状態で、取付孔７の表側に配置されるようになっている（図６参照）。そして、この操作ノブ３４を操作して、係合爪３０を収容部内方側に向けて撓ませることによって、係合段部３２と取付孔７の裏側周縁との係合が解除されるようになっている。
【００１８】  なお、係合爪の形状としては、上記形状に限定されるものではなく、取付孔７の裏側周縁に係合可能であればよい。また、係合爪を設ける位置についても、一対の側壁部２５，２５ではなく、一対の壁部２３，２３側に設けてもよく（この態様については、図８及び図９の実施形態で説明する）、特に限定はされない。
【００１９】  また、図４（ａ），（ｂ）に示すように、前記一対の壁部２３，２３の外面側であって、前記一対の係合爪３０，３０の係合段部３２と操作ノブ３４との間の高さとなる位置には、薄肉板状をなしたフランジ部３５が、壁部２３の幅方向に沿って所定長さでそれぞれ形成されている。この一対のフランジ部３５，３５は、係合爪３０の係合段部３２が取付孔７の裏側周縁に係合した状態で（図６参照）、取付孔７の表側周縁に当接するようになっている（図５参照）。
【００２０】  図２や図３に示すように、各フランジ部３５には、複数の切欠き部３６が形成されている（ここでは一対の切欠き部３６，３６）。この切欠き部３６を設けることにより、フランジ部３５の剛性を低減して、柔軟性を高めることができる。その結果、取付孔７の表側から収容部２０を挿入していき、取付孔７の表側にフランジ部３５が衝突した際の、跳ね返りを軽減することができ（切欠き部なしだと、フランジ部３５が取付孔７の表側に衝突したときに跳ね返りやすい）、取付孔７に収容部２０を挿入しやすくなる。また、取付孔７の表側に対するフランジ部３５の密着性を高めることができる。
【００２１】  また、一対の壁部２３，２３のうち、一方の壁部２３には、スリット４１を介して、収容部２０の内方及び外方に撓み可能とされた係止片４０が形成されており、該係止片４０には、収容部２０に収容された係止部３に係止する係止爪５０が設けられている。
【００２２】  この実施形態においては、図４（ａ）に示すように、一方の壁部２３の、ガイド壁部２７とフランジ部３５との間に、収容部２０の軸方向に沿って延びる一対の縦溝４１ａ，４１ａと、該一対の縦溝４１ａ，４１ａの、収容部２０の開口部２１から離れた側（収容部２０に対する、係止部３の挿入方向先端側）の端部どうしを連結する横溝４１ｂとからなる、コ字状のスリット４１が形成されている。
【００２３】  このようなスリット４１を介して形成された係止片４０は、図５に示すように、その基端４３が、一方の壁部２３の、収容部２０の開口部２１側に連結されて、先端４５（自由端）をスリット４１の横溝４１ｂ側に向けて配置された片持ち梁状をなしており、その先端４５の内側面（収容部２０の内方に向く面）に、前記係止爪５０が形成されている。なお、係止片４０及び係止爪５０は、Ｕ字フック状をなした係止部３の屈曲部３ａの内側に、入り込むことが可能な大きさで形成されている。
【００２４】  また、図４（ａ）や図５に示すように、係止片４０の基端４３の外側面には、係止片４０の幅方向に沿って、所定深さの凹溝４７が形成されている。
【００２５】  なお、係止片の形状としては、上記形状に限定されるものでない。例えば、スリットを、一対の縦溝と、該一対の縦溝の、収容部２０の開口部２１側の端部どうしを連結する横溝とからなる、略門形をなした形状に形成して、係止片の基端を、収容部２０の開口部２１から離れた側（収容部２０に対する、係止部３の挿入方向先端側）に連結させた構造としてもよい。
【００２６】  一方、図５に示すように、この実施形態の係止爪５０は、係止片４０の先端４５の内側面から、ほぼ直交するように突出した形状をなしている。また、係止爪５０の先端側であって、前記開口部２１とは離れた側の面には、開口部２１から離れる方向（収容部２０に対する係止部３の挿入方向）に向けて次第に高さ（係止片４０の内側面からの突出量）が高くなるテーパ面状をなした第１係止面５１が形成されている。
【００２７】  そして、図７（ａ）に示すように、この第１係止面５１は、後述する操作片６０を操作して、係止片４０が収容部２０の外方に撓んだ状態で、スリット４１の内周縁部（ここでは横溝４１ｂの内周縁部）に当接可能とされている。なお、係止爪５０の、前記開口部２１とは離れた側の面であって、前記第１係止面５１に隣接した位置からは、係止爪５０の基端側に向けて、前記第１係止面５１とは角度の異なるテーパ面５２が形成されている（図５参照）。このテーパ面５２及び前記第１係止面５１は、係止爪５０に係止部３からの引き抜き力Ｆ（図５参照）が作用した際に、係止部３に係止して、その抜け止めを図る部分となっている。
【００２８】  また、図５に示すように、係止爪５０の先端側であって、前記開口部２１側の面には、開口部２１から離れる方向（収容部２０に対する係止部３の挿入方向）に向けて次第に高さ（係止片４０の内側面からの突出量）が高くなるテーパ面状をなし、後述する撓み規制孔５５の内周縁部に係止可能とされた（図７（ｂ）参照）、第２係止面５３が形成されている。
【００２９】  上記第２係止面５３に関連して、撓み規制孔５５について説明する。すなわち、図３や図５に示すように、一対の壁部２３，２３のうち、係止片４０が形成された壁部２３に対向配置された、他方の壁部２３に、係止爪５０に係止部３からの引き抜き力Ｆ（図５参照）が作用して、係止片４０が収容部２０の内方に撓んだ状態で、係止爪５０が係止可能とされて、係止片４０の、更なる内方への撓み変形を規制する、撓み規制孔５５が形成されている（図７（ｂ）参照）。この実施形態における撓み規制孔５５は、前記他方の壁部２３の、ガイド壁部２７とフランジ部３５との間であって、フランジ部３５に隣接した位置に、壁部２３の幅方向に長く延びる長孔状をなしている（図３参照）。
【００３０】  そして、係止爪５０に係止部３からの引き抜き力Ｆが作用して、係止片４０が収容部２０の内方に撓んだ状態で、撓み規制孔５５の、開口部２１側の内周縁部に、係止爪５０の上記第２係止面５３が係止可能とされて、係止片４０の、更なる内方への撓み変形が規制されるようになっている（図７（ｂ）参照）。
【００３１】  なお、係止爪としては、上記形状に限定されるものではなく、また、その形成位置も限定されない。例えば、係止片の先端側内面ではなく、係止片の延出方向途中の内面側に、係止爪を設けてよい。
【００３２】  更に、この取付具１０は、係止片４０の外側面から、収容部２０の外方に向けて延出され、該係止片４０を収容部２０の外方に撓み変形させることで、係止爪５０と係止部３との係止状態を解除する、操作片６０を有している。
【００３３】  すなわち、この取付具１０においては、収容部２０に対して係止片４０と操作片６０とが一体形成された一部品となっている。なお、この取付具１０では、係止片４０と操作片６０のみらなず、収容部２０や係合爪３０等の他部材も全て、合成樹脂によって一体形成された一部品とされている。
【００３４】  また、図３、図５及び図６に示すように、係止片４０と係止爪５０との収容部側の内面であって、その幅方向両側には、略三角板状をなした一対のリブ５４，５４が設けられており、係止片４０と係止爪５０との補強が図られている。
【００３５】  更に、図２や図５に示すように、この実施形態の操作片６０は、係止片４０の先端側の外側面から、収容部２０の外方に向けて長板状に延出された形状をなしている。また、操作片６０の幅方向（延出方向に直交する方向）の両側であって、前記開口部２１側の表面からは、操作片６０の基端から先端に向けて延びる突条をなした、一対の突条部６１，６１が設けられている。この一対の突条部６１，６１によって、操作片６０の剛性を高めることができ、操作片６０による係止片４０の操作時に、操作片６０からの操作力を伝達しやすくなっている。
【００３６】  また、図４（ｂ）や図５に示すように、この実施形態における操作片６０は、一方の壁部２３に設けたフランジ部３５よりも長く形成されていると共に、同フランジ部３５に対して離間した位置に設けられている。
【００３７】  なお、操作片としては、上記形状に限定されるものではない。例えば、操作片６０の幅方向両側であって、その裏面側に上記のような一対の突条部を設けたり、操作片の裏面側に、筋目状の微少な凸部を裏面側に複数設けたりしてもよい。このような形状とした場合には、操作片６０を操作して係止片４０の撓み変形させる際に、作業者の手や指が引っ掛かりやすくって、滑りにくくすることができ、操作片６０の操作性を向上させることができるという利点が得られる。
【００３８】  次に、上記構造からなる取付具１０の使用方法及び作用効果について説明する。
【００３９】  まず、取付具１０の収容部２０の開口部２１の長手方向の向きに、車装部品１の係止部３を整合させた後、同係止部３を収容部２０内に収容すべく押し込んでいく。すると、係止部３が、一対のガイド壁部２７，２７により案内されつつ開口部２１を通じて、収容部２０内に入り込むと共に、同係止部３が係止片４０の内面側のリブ５４，５４を押圧して、係止片４０が収容部外方に向けて撓む。その後、係止部３が、係止爪５０の頂部を乗り越えて、第１係止面５１側に至ると、係止片４０が弾性復帰して、係止爪５０が係止部３の屈曲部３ａの内側に位置する（図５参照）。その結果、係止爪５０に、係止部３からの引き抜き力Ｆ（収容部２０内に収容された係止部３が、収容部２０の開口部２１から引き抜かれる方向の力）が作用しても、係止爪５０の第１係止面５１やテーパ面５２に係止するので、収容部２０内からの係止部３の抜け止めがなされて、取付具１０に係止部３が抜け止めされた状態で装着することができる（図５及び図６参照）。
【００４０】  続いて、被取付部５の長孔状の取付孔７に、取付具１０の収容部２０の長手方向の向きを整合させて、取付孔７の表側から挿入していく。すると、収容部２０が、側壁部２５のリブ２９，２９によってガイドされると共に、取付孔７の内周に、一対の係合爪３０，３０の外周面が押圧されて内方に撓みつつ、取付孔７に挿入されていく。その後、各係合爪３０の係合段部３２が取付孔７の裏側周縁に至ると、一対の係合爪３０，３０がそれぞれ弾性復帰して、係合段部３２，３２が取付孔７の裏側周縁に係合すると共に、一対のフランジ部３５，３５が取付孔７の表側周縁に当接して、取付孔７に取付具１０が固定されて、取付具１０を介して被取付部５に車装部品１を取付けることができる（図６参照）。
【００４１】  なお、上記説明では、係止部３に取付具１０が装着された後、被取付部５の取付孔７に挿入して固定するようにしたが、先に、被取付部５の取付孔７に取付具１０を挿入して固定させておき、その後、取付具１０の収容部２０内に係止部３を収容して、係止部３に取付具１０を係止させるようにしてもよく、特に限定はされない。
【００４２】  そして、修理やメンテナンス、交換等の理由で、被取付部５から車装部品１を取外したい場合には、操作片６０を把持して、収容部２０の外方に向けて係止片４０を撓み変形させる。この実施形態では、図７（ａ）に示すように、操作片６０を、収容部２０の開口部２１側に向けて持ち上げるように操作して、係止片４０を撓み変形させる。すると、係止片４０に設けた係止爪５０の第１係止面５１が、スリット４１の横溝４１ｂの内周縁部に近接した状態となり、係止爪５０と係止部３との係止状態が解除される（すなわち、係止部３に引き抜き力Ｆが作用しても、係止爪５０に引っ掛からず係止しないようになる）。なお、操作片６０を操作して、係止片４０の係止爪５０の第１係止面５１を、スリット４１の横溝４１ｂの内周縁部に当接した状態にして、係止爪５０と係止部３との係止状態を解除してもよい。そして、この状態を保持しつつ、係止部３を開口部２１を通じて収容部２０から引き抜くことによって、被取付部５から車装部品１を取外すことができる。
【００４３】  なお、上述したように、係止片が、略門形をなしたスリットを介して形成されて、その基端が収容部２０の開口部２１から離れた側に連結された構造の場合には、操作片を、収容部２０の開口部２１から離れる方向に向けて、押し下げるように操作して、係止片を撓み変形させることで、係止爪５０と係止部３との係止状態を解除することが可能となる。
【００４４】  また、取付孔７から取付具１０を取外したい場合には、操作ノブ３４，３４を把持して、一対の係合爪３０，３０を、収容部２０の内方側に向けて撓み変形させて、係合段部３２，３２と取付孔７の裏側周縁との係合を解除した後、この状態を保持しつつ、取付孔７から収容部２０を引き抜くことで、取付孔７から取付具１０を取外すことができる。
【００４５】  そして、この取付具１０においては、係止爪５０を有する係止片４０の外側面から、収容部２０の外方に向けて、係止片４０を撓み変形させる操作片６０が延出されていて、収容部２０に対して係止片４０と操作片６０とが一部品で形成されているので、部品点数を少なくして構造を簡単にすることができ、製造コストの低減を図ることができる。
【００４６】  また、この実施形態においては、スリット４１はコ字状をなしており、一方の壁部２３の、収容部２０の開口部２１側に、係止片４０の基端４３が連結されており、係止片４０の先端４５側の内側面に係止爪５０が形成され、係止片４０の先端４５側の外側面から操作片６０が延出された構造となっているので、次のような作用効果がもたらされる。
【００４７】  すなわち、係止片４０の基端４３が、一方の壁部２３の、収容部２０の開口部２１側に連結され、係止片４０の先端４５側の外側面から操作片６０が延出されているので、係止片４０の基端４３を支点として、操作片６０を収容部２０の開口部２１側に向けて持ち上げるように操作して、係止片４０を撓み変形させることによって、係止爪５０と係止部３との係止を解除することができる。
【００４８】  また、係止片４０の撓み変形の支点となる係止片４０の基端４３と、係止片４０の先端４５との距離を長く確保することができるので、回転モーメントを大きく確保することができ、梃子の原理によって、係止片４０の撓み変形を容易にすることができる。
【００４９】  更に、係止片４０は、収容部２０の開口部２１側に向けて持ち上げるように撓み変形させるので、その撓み変形時に、取付孔７を設けた被取付部５等が邪魔にならず、操作片６０を操作しやすい。
【００５０】  また、係止爪５０が係止部３に係止した状態で、係止爪５０に係止部３から引き抜き力Ｆが作用したときには、係止片４０が収容部２０の内方に撓むので、係止爪５０と係止部３との係止状態を解除しにくくすることができる。
【００５１】  更に、この実施形態においては、図７（ｂ）に示すように、係止爪５０に係止部３からの引き抜き力Ｆが作用して、係止片４０が収容部２０の内方に向けて撓んだ状態で、係止爪５０が撓み規制孔５５に係止して（ここでは係止爪５０の第２係止面５３が、撓み規制孔５５の、開口部２１側の内周縁部に係止する）、係止片４０の撓み変形が規制されるので、係止爪５０を係止部３に係止した状態に維持することができると共に、係止部３が係止爪５０から外れることを確実に防止することができる。また、係止爪５０に係止部３からの引き抜き力Ｆが作用せず、係止片４０が収容部２０の内方に向けて撓んでいない状態では、係止爪５０は撓み規制孔５５に係止せず、撓み規制孔５５に対して離間しているので（図５参照）、開口部２１から、車装部品１の係止部３を、収容部２０内にスムーズに挿入することができる。
【００５２】  また、この実施形態においては、図７（ａ）に示すように、係止片４０の係止爪５０と係止部３との係止を解除すべく、操作片６０を操作して、係止片４０を収容部２０の外方に撓ませると、係止爪５０がスリット４１の内周縁部に当接可能とされているので（ここでは、係止爪５０の第１係止面５１がスリット４１の横溝４１ｂの内周縁部に当接する）、係止片４０のそれ以上の外方への撓み変形が規制されることとなり、係止片４０の破損を防止することができる。
【００５３】  更に、この実施形態においては、係止片４０は、その基端４３が、収容部２０の一方の壁部２３に連結されており、該係止片４０の基端４３の外側面には、凹溝４７が形成されているので、次のような作用効果がもたらされる。
【００５４】  すなわち、操作片６０によって、係止片４０を収容部２０の外方に撓み変形させるときには、係止片４０の基端４３の外面側が縮むと共に、基端４３の内面側が伸び（図７（ａ）参照）、一方、係止部３からの引き抜き力Ｆによって、係止片４０を収容部２０の内方に撓み変形させるときには、係止片４０の基端４３の外面側が伸びると共に、基端４３の内面側が縮むことになる（図７（ｂ）参照）。
【００５５】  そして、図７（ａ）に示すように、係止片４０を収容部２０の外方に撓み変形させるときには、係止片４０の基端４３の、縮む部分である外面側に、凹溝４７が形成されているので、係止片４０を撓み変形させやすくすることができ、また、係止片４０が撓み変形しやすいため、収容部２０に係止部３を挿入しやすくなる。一方、図７（ｂ）に示すように、係止片４０を収容部２０の内方に撓み変形させるときには、係止片４０の基端４３の、縮む部分である内面側には、凹溝４７が形成されていないので、係止片４０を撓み変形させにくくさせて、係止爪５０と係止部３との係止を解除させにくくすることができる。
【００５６】  図８及び図９には、本発明の部品取付具の、他の実施形態が示されている。なお、前記実施形態と実質的に同一部分には同符号を付してその説明を省略する。
【００５７】  この実施形態の部品取付具１０Ａ（以下、単に「取付具１０Ａ」という）は、取付孔７の裏側周縁に係合する係合爪の形成位置が、前記実施形態と異なっている。
【００５８】  すなわち、図８に示すように、この取付具１０Ａの収容部２０を構成する、対向配置された一対の壁部２３，２３に、コ字状をなしたスリット３１を介して、撓み可能な係合爪３０Ａ，３０Ａが形成されている。なお、フランジ部３５は、一対の側壁部２５，２５からも形成されており、また、収容部２０を構成する一対の壁部２３，２３及び一対の側壁部２５，２５の、開口部２１側の上方周縁部の全周から、ガイド壁部２７が斜め外方に向けて延設されている。
【００５９】  そして、一対の係合爪３０Ａ，３０Ａの係合段部３２，３２が、取付孔７の裏側周縁に係合することで、取付孔７に取付具１０Ａが固定されて、取付具１０Ａを介して被取付部５に車装部品１を取付けることができるようになっている（図９参照）。
【００６０】  なお、本発明は、上述した実施形態に限定されるものではなく、本発明の要旨の範囲内で、各種の変形実施形態が可能であり、そのような実施形態も本発明の範囲に含まれる。
【符号の説明】
【００６１】１  車装部品３  係止部５  被取付部７  取付孔１０，１０Ａ  部品取付具（取付具）２０  収容部２１  開口部２３  壁部２５  側壁部３０，３０Ａ  係合爪３１  スリット４０  係止片４１  スリット４３  基端４５  先端４７  凹溝５０  係止爪５５  規制孔６０  操作片
【図１】
0006598128.tif 000002
【図２】
0006598128.tif 000003
【図３】
0006598128.tif 000004
【図４】
0006598128.tif 000005
【図５】
0006598128.tif 000006
【図６】
0006598128.tif 000007
【図７】
0006598128.tif 000008
【図８】
0006598128.tif 000009
【図９】
0006598128.tif 000010